【手続補正書】
【提出日】平成28年2月5日(2016.2.5)
【手続補正１】
【補正対象書類名】特許請求の範囲
【補正対象項目名】全文
【補正方法】変更
【補正の内容】
【特許請求の範囲】
【請求項１】
一対の基板の対向面側に設けられた一対の配向膜と、一対の配向膜の間に設けられ、負の誘電率異方性を有する液晶分子を含む液晶組成物から構成された液晶層とを有する液晶表示素子を備え、
一対の配向膜のうちの少なくとも一方は、液晶分子と相互作用する第１の側鎖を有し、且つ、第２の側鎖として架橋性官能基を有する高分子化合物が架橋した化合物を含み、
液晶層を構成する液晶組成物は、下記の一般式（ＡＮ−１）で示されるアルケニル化合物を少なくとも１種類、含み、
液晶分子は、架橋した化合物によってプレチルトが付与される液晶表示装置。
2014206669.tif 000001
但し、ＲAN11，ＲAN12は、それぞれ、独立に、炭素数１乃至１０のアルキル基、アルケニル基又はアルコキシ基であり、且つ、ＲAN11，ＲAN12の少なくとも一方はアルケニル基であり、
2014206669.tif 000002
は、それぞれ、独立に、
2014206669.tif 000003
であり、
Ｌ1，Ｌ2は、それぞれ、独立に、水素原子、フッ素原子又は塩素原子であり、
ｐは０又は１である。
【請求項２】
液晶層を構成する液晶組成物は、下記の一般式（ＡＮ−２）で示されるアルケニル化合物を少なくとも１種類、含む請求項１に記載の液晶表示装置。
2014206669.tif 000004
但し、ＲAN21は、炭素数１乃至１０のアルケニル基であり、ＲAN22は、炭素数１乃至１０のアルキル基である。
【請求項３】
液晶層を構成する液晶組成物は、下記の一般式（ＡＮ−３）で示されるアルケニル化合物を少なくとも１種類、含む請求項１に記載の液晶表示装置。
2014206669.tif 000005
但し、ＲAN31は、炭素数１乃至１０のアルケニル基であり、ＲAN32は、炭素数１乃至１０のアルキル基である。
【請求項４】
液晶層を構成する液晶組成物は、下記の一般式（ＡＮ−４）で示されるアルケニル化合物を少なくとも１種類、含む請求項１に記載の液晶表示装置。
2014206669.tif 000006
但し、ＲAN41は、炭素数１乃至１０のアルケニル基であり、ＲAN42は、炭素数１乃至１０のアルキル基である。
【請求項５】
液晶層を構成する液晶組成物は、下記の一般式（ＡＮ−５−１）又は一般式（ＡＮ−５−２）で示されるアルケニル化合物を少なくとも１種類、含む請求項１に記載の液晶表示装置。
2014206669.tif 000007
2014206669.tif 000008
但し、ＲAN51は、炭素数１乃至１０のアルケニル基であり、ＲAN52は、炭素数１乃至１０のアルコキシ基であり、Ｌ1，Ｌ2は、それぞれ、独立に、フッ素原子又は塩素原子である。
【請求項６】
高分子化合物を架橋させることにより得られた化合物は、第１の側鎖、第２の側鎖、及び、基板に対して第１の側鎖及び第２の側鎖を支持する主鎖から構成されており、
第１の側鎖及び第２の側鎖のそれぞれは、主鎖に結合しており、
液晶分子は、第１の側鎖に沿い、又は、第１の側鎖に挟まれることでプレチルトが付与される請求項１に記載の液晶表示装置。
【請求項７】
高分子化合物を架橋させることにより得られた化合物は、第１の側鎖、第２の側鎖、及び、基板に対して第１の側鎖及び第２の側鎖を支持する主鎖から構成されており、
第１の側鎖と第２の側鎖とは結合しており、
第１の側鎖又は第２の側鎖は、主鎖に結合しており、
液晶分子は、第１の側鎖に沿い、又は、第１の側鎖に挟まれることでプレチルトが付与される請求項１に記載の液晶表示装置。
【請求項８】
第１の側鎖は、
（Ａ11）n11−ＲSD11−（Ａ12）n12−ＲSD12−ＲSD13
から成り、
Ａ11及びＡ12は、それぞれ、−ＣＨ2−、−Ｏ−、−ＣＯＯ−、又は、−ＯＣＯ−であり、
ｎ１１及びｎ１２は、それぞれ、０又は１であり、
ＲSD11は、炭素数０乃至４０のアルキル基、又は、炭素数１乃至４０のフルオロアルキル基であり、
ＲSD12は、少なくとも１つの環構造を含む２価の有機基であり、
ＲSD13は、水素原子、ハロゲン原子、アルキル基、アルコキシ基、又は、カーボネート基を有する１価の基、若しくは、それらの誘導体である請求項６又は請求項７に記載の液晶表示装置。
【請求項９】
第２の側鎖は、
（Ａ21）n21−ＲSD21−（Ａ22）n22−ＲSD22−ＲSD23
から成り、
Ａ21及びＡ22は、それぞれ、−ＣＨ2−、−Ｏ−、−ＣＯＯ−、又は、−ＯＣＯ−であり、
ｎ２１及びｎ２２は、それぞれ、０又は１であり、
ＲSD21は、炭素数０乃至４０のアルキル基、又は、炭素数１乃至４０のフルオロアルキル基であり、
ＲSD22は、ビニル、アクリロイル、メタクリロイル、カルコン、シンナメート、シンナモイル、クマリン、マレイミド、ベンゾフェノン、ノルボルネン、オリザノール及びキトサンから成る群から選択された少なくとも１種類の構造を含む２価の基、又は、エチニレン基であり、
ＲSD23は、水素原子、ハロゲン原子、アルキル基、アルコキシ基、又は、カーボネート基を有する１価の基、若しくは、それらの誘導体である請求項６乃至請求項８のいずれか１項に記載の液晶表示装置。
【請求項１０】
主鎖は、ポリイミド構造を有し、又は、ポリシロキサン構造を有し、又は、ポリアミック酸から成る請求項６に記載の液晶表示装置。
【請求項１１】
電極に形成されたスリット部、電極に形成された凹凸部又は基板に設けられた突起から成る配向規制部が設けられている請求項１に記載の液晶表示装置。
【手続補正２】
【補正対象書類名】明細書
【補正対象項目名】００１１
【補正方法】変更
【補正の内容】
【００１１】
2014206669.tif 000009
但し、ＲAN11，ＲAN12は、それぞれ、独立に、炭素数１乃至１０のアルキル基、アルケニル基又はアルコキシ基であり、且つ、ＲAN11，ＲAN12の少なくとも一方はアルケニル基であり、
2014206669.tif 000010
は、それぞれ、独立に、
2014206669.tif 000011
であり、
Ｌ1，Ｌ2は、それぞれ、独立に、水素原子、フッ素原子又は塩素原子であり、
ｐは０又は１である。
【手続補正３】
【補正対象書類名】明細書
【補正対象項目名】０１９４
【補正方法】変更
【補正の内容】
【０１９４】
［比較例１−Ａ］
比較例１−Ａにおいては、液晶組成物として、負の誘電率異方性を有する液晶分子であるＭＬＣ−６６０８（メルク社製）だけを使用した。その他は、実施例１−Ａと同様とした。
【手続補正４】
【補正対象書類名】明細書
【補正対象項目名】０１９７
【補正方法】変更
【補正の内容】
【０１９７】
比較例１−Ａは、電圧保持率の値は実施例１レベルであったが、τfの値が高かった。一方、比較例１−Ｂは、τfの値は実施例１レベルであったが、電圧保持率の値が低かった。実施例１−Ａ〜実施例１−Ｋにあっては、高い電圧保持率の値、及び、短いτfの値のいずれをも達成することができた。
【手続補正５】
【補正対象書類名】明細書
【補正対象項目名】０２００
【補正方法】変更
【補正の内容】
【０２００】
尚、本開示は、以下のような構成を取ることもできる。
［１］《液晶表示装置》
一対の基板の対向面側に設けられた一対の配向膜と、一対の配向膜の間に設けられ、負の誘電率異方性を有する液晶分子を含む液晶組成物から構成された液晶層とを有する液晶表示素子を備え、
一対の配向膜のうちの少なくとも一方は、液晶分子と相互作用する第１の側鎖を有し、且つ、第２の側鎖として架橋性官能基を有する高分子化合物が架橋した化合物を含み、
液晶層を構成する液晶組成物は、下記の一般式（ＡＮ−１）で示されるアルケニル化合物を少なくとも１種類、含み、
液晶分子は、架橋した化合物によってプレチルトが付与される液晶表示装置。
2014206669.tif 000012
但し、ＲAN11，ＲAN12は、それぞれ、独立に、炭素数１乃至１０のアルキル基、アルケニル基又はアルコキシ基であり、且つ、ＲAN11，ＲAN12の少なくとも一方はアルケニル基であり、
2014206669.tif 000013
は、それぞれ、独立に、
2014206669.tif 000014
であり、
Ｌ1，Ｌ2は、それぞれ、独立に、水素原子、フッ素原子又は塩素原子であり、
ｐは０又は１である。
［２］液晶層を構成する液晶組成物は、下記の一般式（ＡＮ−２）で示されるアルケニル化合物を少なくとも１種類、含む［１］に記載の液晶表示装置。
2014206669.tif 000015
但し、ＲAN21は、炭素数１乃至１０のアルケニル基であり、ＲAN22は、炭素数１乃至１０のアルキル基である。
［３］液晶層を構成する液晶組成物は、下記の一般式（ＡＮ−３）で示されるアルケニル化合物を少なくとも１種類、含む［１］に記載の液晶表示装置。
2014206669.tif 000016
但し、ＲAN31は、炭素数１乃至１０のアルケニル基であり、ＲAN32は、炭素数１乃至１０のアルキル基である。
［４］液晶層を構成する液晶組成物は、下記の一般式（ＡＮ−４）で示されるアルケニル化合物を少なくとも１種類、含む［１］に記載の液晶表示装置。
2014206669.tif 000017
但し、ＲAN41は、炭素数１乃至１０のアルケニル基であり、ＲAN42は、炭素数１乃至１０のアルキル基である。
［５］液晶層を構成する液晶組成物は、下記の一般式（ＡＮ−５−１）又は一般式（ＡＮ−５−２）で示されるアルケニル化合物を少なくとも１種類、含む［１］に記載の液晶表示装置。
2014206669.tif 000018
2014206669.tif 000019
但し、ＲAN51は、炭素数１乃至１０のアルケニル基であり、ＲAN52は、炭素数１乃至１０のアルコキシ基であり、Ｌ1，Ｌ2は、それぞれ、独立に、フッ素原子又は塩素原子である。
［６］液晶層を構成する液晶組成物は、少なくとも、電気的にネガティブなアルケニル化合物と、電気的にニュートラルなアルケニル化合物との混合物を含む［１］に記載の液晶表示装置。
［７］高分子化合物を架橋させることにより得られた化合物は、第１の側鎖、第２の側鎖、及び、基板に対して第１の側鎖及び第２の側鎖を支持する主鎖から構成されており、
第１の側鎖及び第２の側鎖のそれぞれは、主鎖に結合しており、
液晶分子は、第１の側鎖に沿い、又は、第１の側鎖に挟まれることでプレチルトが付与される［１］乃至［６］のいずれか１項に記載の液晶表示装置。
［８］高分子化合物を架橋させることにより得られた化合物は、第１の側鎖、第２の側鎖、及び、基板に対して第１の側鎖及び第２の側鎖を支持する主鎖から構成されており、
第１の側鎖と第２の側鎖とは結合しており、
第１の側鎖又は第２の側鎖は、主鎖に結合しており、
液晶分子は、第１の側鎖に沿い、又は、第１の側鎖に挟まれることでプレチルトが付与される［１］乃至［６］のいずれか１項に記載の液晶表示装置。
［９］第１の側鎖は、
（Ａ11）n11−ＲSD11−（Ａ12）n12−ＲSD12−ＲSD13
から成り、
Ａ11及びＡ12は、それぞれ、−ＣＨ2−、−Ｏ−、−ＣＯＯ−、又は、−ＯＣＯ−であり、
ｎ１１及びｎ１２は、それぞれ、０又は１であり、
ＲSD11は、炭素数０乃至４０のアルキル基、又は、炭素数１乃至４０のフルオロアルキル基であり、
ＲSD12は、少なくとも１つの環構造を含む２価の有機基であり、
ＲSD13は、水素原子、ハロゲン原子、アルキル基、アルコキシ基、又は、カーボネート基を有する１価の基、若しくは、それらの誘導体である［７］又は［８］に記載の液晶表示装置。
［１０］第２の側鎖は、
（Ａ21）n21−ＲSD21−（Ａ22）n22−ＲSD22−ＲSD23
から成り、
Ａ21及びＡ22は、それぞれ、−ＣＨ2−、−Ｏ−、−ＣＯＯ−、又は、−ＯＣＯ−であり、
ｎ２１及びｎ２２は、それぞれ、０又は１であり、
ＲSD21は、炭素数０乃至４０のアルキル基、又は、炭素数１乃至４０のフルオロアルキル基であり、
ＲSD22は、ビニル、アクリロイル、メタクリロイル、カルコン、シンナメート、シンナモイル、クマリン、マレイミド、ベンゾフェノン、ノルボルネン、オリザノール及びキトサンから成る群から選択された少なくとも１種類の構造を含む２価の基、又は、エチニレン基であり、
ＲSD23は、水素原子、ハロゲン原子、アルキル基、アルコキシ基、又は、カーボネート基を有する１価の基、若しくは、それらの誘導体である［７］乃至［９］のいずれか１項に記載の液晶表示装置。
［１１］主鎖は、ポリイミド構造を有し、又は、ポリシロキサン構造を有し、又は、ポリアミック酸から成る［７］乃至［１０］のいずれか１項に記載の液晶表示装置。
［１２］電極に形成されたスリット部、電極に形成された凹凸部又は基板に設けられた突起から成る配向規制部が設けられている［１］乃至［１１］のいずれか１項に記載の液晶表示装置。
［１３］一対の配向膜のうちの少なくとも一方の表面粗さＲａは１ｎｍ以下である［１］乃至［１２］のいずれか１項に記載の液晶表示装置。